(57)【要約】【課題】特定のサービスに加入することなく、任意の複数の相手とあたかも会話しているかのように音声メールを送受信することができる電子メール機能を備えた携帯電話機を提供することを目的とする。【解決手段】電話番号や電子メールアドレス等の通信相手先情報が登録された電子電話帳から複数のメールアドレスを選択した後（ステップＳ２０１）、オフフックボタンを押下し（ステップＳ２０２）、発話すると、発話した音声が音声データとしてメモリに記録される（ステップＳ２０６）。次に、ユーザがオンフックボタンを押下すると（ステップＳ２０７）、メモリに記録された音声データを含む音声メールを自動的に作成し（ステップＳ２０８）、作成した音声メールを選択した通信相手先に送信する（ステップＳ２０９）。【選択図】図３
2007288709.tif 000002
【特許請求の範囲】
【請求項１】
電子メールを送受信する機能と少なくとも通信相手の電話番号や電子メールアドレス等を記録した電子電話帳を有する携帯電話機において、
発信動作の選択メニューに音声メールの項目を設け、
該音声メールの項目の選択を条件にマイクに入力された音声を録音し音声データに変換して、変換した音声データを含む音声メールを作成する音声メール作成手段を具備すると共に、
受信メールが音声メールであるときはユーザの受信操作により自動的に音声データを再生する音声メール再生手段を設けたことを特徴とする携帯電話機。
【請求項２】
通話相手として複数の宛先が選択され、発信操作（オフフックボタンの押下げ等）をした場合、前記発信動作の選択メニューから音声メールの項目が自動的に選択されたものとすることを特徴とする請求項１の携帯電話機。
【請求項３】
前記発信動作の選択メニューから音声メールの項目を選択し発信操作をした場合、音声メッセージの入力を促すトーキを出力することを特徴とする請求項１又は２の携帯電話機。
【請求項４】
音声メッセージ入力後の終話操作（オンフックボタンの押下げ等）により録音された音声メッセージと選択された通信相手の宛先に基づいて自動的に音声メールを作成し送信することを特徴とする請求項１から３の何れか１の携帯電話機。
【請求項５】
前記音声メール作成手段は、メールの件名又はメール本文中に音声メールであることを示す特定の文字列を設定し、
対応電話機は電子メールを受信したときに前記特定の文字列により受信メールが音声メールであることを判定することを特徴とする請求項１から４の何れか１の携帯電話機。
【請求項６】
受信した電子メールの件名又は本文中に前記特定の文字列が設定されていても、音声データがない場合は通常のメールの受信と判断し処理することを特徴とする請求項５の携帯電話機。
【請求項７】
受信した電子メールの件名又は本文中に前記特定の文字列が設定されていても、音声データの再生が不可能な場合は通常のメールの受信と判断し処理することを特徴とする請求項５の携帯電話機。
【請求項８】
受信した電子メールを音声メールであると判定した場合、ユーザが反応するまで着信通知を出力することを特徴とする請求項１から５の何れか１の携帯電話機。
【請求項９】
ユーザが音声メールの着信の通知に反応して応答操作（オフフックボタンの押下げ等）をした場合着信通知の出力を停止すると共に自動的に音声データを再生することを特徴とする請求項１から５の何れか１の携帯電話機。
【請求項１０】
音声メールの着信の通知に対し、一定時間経過してもユーザが応答操作をしないときは自動的に着信の通知を停止することを特徴とする請求項８の携帯電話機。
【請求項１１】
受信した音声メールの再生中に特定のボタンを押すか再生終了に応じ、音声の入力により前記音声メール作成手段が応答メールとしての音声メールを作成することを特徴とする請求項１から５、請求項８から１０の何れか１の携帯電話機。
【請求項１２】
受信した音声メールに複数の宛先が含まれているときは応答の音声メールを該複数の相手に送信することを特徴とする請求項１１の携帯電話機。
【発明の詳細な説明】
【技術分野】
【０００１】
本発明は、携帯電話機の電子メール機能を活用して、同時に複数の相手との通話を可能にした携帯電話機に関する。
【背景技術】
【０００２】
現在の携帯電話では、複数の相手と通話する場合にはプッシュトークサービスや、電話会議システムなどの特定のシステムにアクセスする必要があった。
【０００３】
また、携帯電話からは複数の相手に電子メールの送信が可能であり、特開２００２−２６１９７４号公報（特許文献１）には音声メッセージを電子メールとして送信する機能を備えた携帯電話機に関する発明が提案されている。
【特許文献１】特開２００２−２６１９７４号公報
【発明の開示】
【発明が解決しようとする課題】
【０００４】
しかし、携帯電話機等を用いて複数の相手と会話する場合には、前述したように、プッシュトーク，電話会議システム等の特定のサービスに加入する必要があるうえ、加入したサービスにアクセスしなければ、複数の相手と会話することができなかった。
【０００５】
また、特許文献１に記載のメール機能を備えた携帯電話機を利用すれば、複数の相手に、ユーザが発話した音声メッセージ（音声データ）を添付した電子メールを同時に送信することができるが、複数の相手と会話しているかのように、音声メールを送受信することができなかった。
【０００６】
本発明は、このような問題点を解決するためになされたものであり、特定のサービスに加入することなく、任意の複数の相手とあたかも会話しているかのように音声メールを送受信することができる電子メール機能を備えた携帯電話機を提供することを目的とする。
【課題を解決するための手段】
【０００７】
第１の技術手段は、電子メールを送受信する機能と少なくとも通信相手の電話番号や電子メールアドレス等を記録した電子電話帳を有する携帯電話機において、発信動作の選択メニューに音声メールの項目を設け、該音声メールの項目の選択を条件にマイクに入力された音声を録音し音声データに変換して、変換した音声データを含む音声メールを作成する音声メール作成手段を具備すると共に、受信メールが音声メールであるときはユーザの受信操作により自動的に音声データを再生する音声メール再生手段を設けたことを特徴とするものである。
【０００８】
第２の技術手段は、第１の技術手段において、通話相手として複数の宛先が選択され、発信操作（オフフックボタンの押下げ等）をした場合、前記発信動作の選択メニューから音声メールの項目が自動的に選択されたものとすることを特徴とするものである。
【０００９】
第３の技術手段は、第１又は２の技術手段において、前記発信動作の選択メニューから音声メールの項目を選択し発信操作をした場合、音声メッセージの入力を促すトーキを出力することを特徴とするものである。
【００１０】
第４の技術手段は、第１から３の何れか１の技術手段において、音声メッセージ入力後の終話操作（オンフックボタンの押下げ等）により録音された音声メッセージと選択された通信相手の宛先に基づいて自動的に音声メールを作成し送信することを特徴とするものである。
【００１１】
第５の技術手段は、第１から４の何れか１の技術手段において、前記音声メール作成手段は、メールの件名又はメール本文中に音声メールであることを示す特定の文字列を設定し、対応電話機は電子メールを受信したときに前記特定の文字列により受信メールが音声メールであることを判定することを特徴とするものである。
【００１２】
第６の技術手段は、第５の技術手段において、受信した電子メールの件名又は本文中に前記特定の文字列が設定されていても、音声データがない場合は通常のメールの受信と判断し処理することを特徴とするものである。
【００１３】
第７の技術手段は、第５の技術手段において、受信した電子メールの件名又は本文中に前記特定の文字列が設定されていても、音声データの再生が不可能な場合は通常のメールの受信と判断し処理することを特徴とするものである。
【００１４】
第８の技術手段は、第１から５の何れか１の技術手段において、受信した電子メールを音声メールであると判定した場合、ユーザが反応するまで着信通知を出力することを特徴とするものである。
【００１５】
第９の技術手段は、第１から５の何れか１の技術手段において、ユーザが音声メールの着信の通知に反応して応答操作（オフフックボタンの押下げ等）をした場合着信通知の出力を停止すると共に自動的に音声データを再生することを特徴とするものである。
【００１６】
第１０の技術手段は、第８の技術手段において、音声メールの着信の通知に対し、一定時間経過してもユーザが応答操作をしないときは自動的に着信の通知を停止することを特徴とするものである。
【００１７】
第１１の技術手段は、第１から５、第８から１０の何れか１の技術手段において、受信した音声メールの再生中に特定のボタンを押すか再生終了に応じ、音声の入力により前記音声メール作成手段が応答メールとしての音声メールを作成することを特徴とするものである。
【００１８】
第１２の技術手段は、第１１の技術手段において、受信した音声メールに複数の宛先が含まれているときは応答の音声メールを該複数の相手に送信することを特徴とするものである。
【発明の効果】
【００１９】
本発明により、特定のサービスに加入することなく、任意の複数の相手とあたかも会話しているかのように、通常の音声通信を行う感覚で、音声メールを自動的に作成し、作成した音声メールを送受信することができる。
【００２０】
また、通信相手先が本発明に係わる電子メール機能を有しない携帯電話機であっても、音声データの再生機能を有していれば、受信した電子メールに添付されている音声データを再生することができる。
【発明を実施するための最良の形態】
【００２１】
（実施例１）
図１は、本発明による携帯電話機の実施例を説明するための要部概略構成を示すブロック図である。図中、１００は、本発明による携帯電話機で、１０１は、音声メールの件名又は本文中に音声メールであることを示す所定の文字列を設定する文字列設定部１０１ａを有し音声メールの作成処理を行う音声メール作成部、１０２は、ユーザが発話した音声を音声データ１２７ａとしてメモリ１２７に記録する音声データ記録部、１０３は、ユーザにメッセージの入力（発話）を促すトーキ（音声ガイダンス）を再生するトーキ再生部である。
【００２２】
１１１は、電話番号や電子メールアドレス等の通信相手先情報が記録され不揮発性メモリ等により構成される電子電話帳、１１２は、音声メール以外の電子メールを作成する電子メール作成部、１１３は、作成した音声メール，電子メールの送受信処理を行う電子メール送受信部である。
【００２３】
１２２は、公衆網上の基地局から受信したデータを制御部１２１に入力したり，制御部１２１から入力されたデータを公衆網上の基地局へ送信する無線部、１２３は、発信動作の選択メニュー，画像データ等を表示する表示部、１２４，１２５は、マイク，スピーカ、１２６は、オン／オフフックボタン，テンキー等で構成されるキーパッドである。なお、１２１は、上述した各機能ブロックの制御を行う制御部であり、制御プログラムを用いて通信制御や画面制御、ユーザ操作のハンドリング等を行う。
【００２４】
本発明により導入された、音声メール作成部１０１は、電子メール機能を活用して通話を行う過程で、メモリ１２７に記録した音声データ１２７ａを電子メールに添付する等して、音声メールを作成する。初めに音声メールを送信する際はもちろん、さらに、音声メールの受信者が音声メールに対して音声メールで返信する場合の応答の音声メールも作成する。
【００２５】
また、前述したように、文字列設定部１０１ａは、音声メールを作成するときに音声メールの件名又は本文中に音声メールであることを示す所定の文字列（例えば、「※音声メール」）を設定する。
【００２６】
このように、音声メールの件名又は本文中に所定の文字列を設定することで、電子メールを受信した際に、実施例２で説明する音声メール判定部１０４は、受信した電子メールが音声データが添付された電子メール（音声メール）か否かを自動的に判定することができる。そのため、後述するように、受信した電子メールの種類に応じた処理を実行することができるので、利用者の利便性が向上する。また、本発明が適用されない携帯電話のユーザであっても、件名又は本文中に記載された文字列を見るだけで、着信した電子メールが音声メールであることが判別できる。
【００２７】
音声データ記録部１０２は、マイク１２４から入力された音声信号に圧縮符号化等の各種処理を施し音声データ１２７ａとしてメモリ１２７に記録する。
【００２８】
本発明により導入された、トーキ再生部１０３は、前述したように、ユーザにメッセージの入力を促すトーキ（「音声メールを送信します、メッセージを入れてください」等の音声ガイダンス）の再生処理を行う。
【００２９】
図２は、音声メールを作成して、作成した音声メールを送信するまでの処理を説明するためのフロー図である。
ユーザが電子電話帳から通信相手先（送信先の電子メールアドレス）を選択し（ステップＳ１０１）、メニューボタンを押下すると（ステップＳ１０２）、各種発信動作（電話発信，電子メール，音声メール等）を含む複数の処理を選択できるメニューが表示される（ステップＳ１０３）。
【００３０】
前記各種発信動作を選択できるメニューから、ユーザが「音声メール」項目を選択し（ステップＳ１０４，ステップＳ１０５：ＹＥＳ）、オフフックボタンを押下すると（ステップＳ１０７）、トーキ再生部１０３は、ユーザにメッセージの発声（入力）を促すトーキ（「音声メールを送信します、メッセージを入れてください。」等）を再生し、ユーザにメッセージの発声（入力）を促す（ステップＳ１０８）。
【００３１】
ユーザがメニューから「音声メール」項目を選択しないと（ステップＳ１０４，ステップＳ１０５：ＮＯ）、選択した項目に対応する処理（例えば、通常発呼処理）を実行する（ステップＳ１０６）。
【００３２】
音声データ記録部１０２は、トーキの再生が終了した後、ユーザがオンフックボタンを押下（終話操作の実行）するまでの間に発話した音声を音声データとしてメモリ１２７に録音する（ステップＳ１０９）。
【００３３】
この後、ユーザがオンフックボタンを押下すると（ステップＳ１１０）、音声メール作成部１０１は、メモリ１２７に記録した音声データを電子メールに添付して音声メールを自動的に作成し（ステップＳ１１１）、作成した音声メールを送信する（ステップＳ１１２）。なお、ステップＳ１１１の音声メール作成時に、文字列設定部１０１ａが、音声メールの件名又は本文中に音声メールであることを示す所定の文字列を設定する。
【００３４】
このように、メニューから「音声メール」項目を選択し、トーキの指示に従うだけで、音声メールが自動的に作成されるため、ユーザが事前に音声データを記録し、さらに、この音声データを電子メールに添付して送信するという煩雑な処理をユーザ自ら実行しなくてもよい。そのため、音声メールを作成していることを特に意識せず通常の通話を行う感覚で音声メールを作成することができ、ユーザの利便性が向上する。
【００３５】
図３は、音声メールを作成して、作成した音声メールを送信するまでの別の処理を説明するためのフロー図で、図２に示したフロー図とはメニューから「音声メール」を選択しなくても、音声メールを自動的に作成できる点が異なる。
【００３６】
ユーザが電子電話帳から通信相手先（送信先の電子メールアドレス）を選択し（ステップＳ２０１）、オフフックボタンを押下（発信操作の実行）すると（ステップＳ２０２）、ユーザが複数の宛先を指定したか否かを判定する（ステップＳ２０３）。
【００３７】
複数の宛先が指定されていると判定されると（ステップＳ２０３：ＹＥＳ）、図２のフロー図で説明したようにトーキを再生し、音声メールを自動的に作成し、作成した音声メールを送信する（ステップＳ２０５〜ステップＳ２０９）。宛先が複数でなければ（ステップＳ２０３：ＮＯ）、通常発呼処理等を実行する（ステップＳ２０４）
【００３８】
このように、複数の宛先を選択して、電子メールの作成に伴い実行する操作（オン／オフフックボタンの押下）を行うだけで音声メールが自動的に作成されるため、ユーザが事前に音声データを記録し、さらに、この音声データを電子メールに添付して送信するという煩雑な処理をユーザ自ら実行しなくてもよい。そのため、音声メールを作成していることを特に意識せず通常の通話を行う感覚で音声メールを作成することができ、ユーザの利便性が向上する。
【００３９】
（実施例２）
図４は、本発明による携帯電話機の他の実施例を説明するための要部概略構成を示すブロック図である。図４に示すブロック図は、図１に示したブロック図に、受信した電子メールが音声電子メールか否かを判定する音声メール判定部１０４、音声メールを受信したことをユーザに通知する音声メール受信通知部１０５、受信した音声メールに添付された音声データを再生する音声データ再生部１０６、音声メールの受信者が音声メールで返信する際に所定の処理を行う音声メール応答部１０７を追加したものである。
【００４０】
本発明により導入された、音声メール作成部１０１は、受信した音声メールに添付された音声データを再生中にユーザが所定の操作を実行した場合又は音声データの再生終了後に、応答用音声メールの作成を自動的に行う。
【００４１】
本発明により導入された、音声メール判定部１０４は、受信した電子メールの件名又は本文中の文字情報を解析し、解析した文字情報の中に、文字列設定部１０１ａが設定した文字列がある場合には受信した電子メールが音声メールであると判定し、前記文字列がない場合には受信した電子メールは音声メールではないと判定する。
【００４２】
なお、音声メール判定部１０４は、受信した電子メールの件名又は本文中に音声電子メールであることを示す文字列がある場合でも、受信した電子メールに音声データが添付されていない場合又は受信した電子メールに添付されていた音声データが再生不可能な場合には、受信した電子メールは音声メールではないと判定する。
【００４３】
本発明により導入された、音声メール受信通知部１０５は、音声メール判定部１０４にて、受信した電子メールが音声メールであると判定された場合には、通常の音声着信の場合と同様に所定時間経過するまで又はユーザが応答操作を実行するまで、音声メールを受信したことをユーザに通知し続ける。
【００４４】
このように、受信した電子メールが音声メールの場合に、通常の通話着信の場合と同じ通知処理を実行することで、ユーザは、通話着信があったときと同じように、音声メール受信に対応することができるため、ユーザの利便性が向上する。
【００４５】
音声データ再生部１０６は、音声メール受信通知部１０５が実行している通知処理（着信音の鳴動）に対して、ユーザが応答操作（オフフックボタンの押下）を実行すると、受信した音声メールに添付されている音声データを自動的に再生する。
【００４６】
このように、応答操作、換言すれば、通話着信があったときに行う操作と同じ操作（オフフックボタンの押下）を行うだけで音声メールに添付された音声データを聞くことができるため、ユーザの利便性が向上する。
【００４７】
本発明により導入された、音声メール応答部１０７は、上記音声データ再生部１０６による音声の再生中又は再生終了後にユーザが音声メールで返信するために例えば録音ボタン等の特定のボタンの押下げ操作又は応答の音声を発話した場合に応答の音声メールを作成するためにユーザが入力（発話）した音声をメモリ１２７に録音する。
【００４８】
図５は、音声メールを受信して、さらに受信した音声メールに応答する応答用音声メールを作成し、作成した応答用音声メールを送信するまでの処理を説明するためのフロー図である。
【００４９】
電子メール送受信部１１３で、電子メールを受信すると（ステップＳ３０１）、音声メール判定部１０４にて、受信した電子メールが音声メールか否かを判定する（ステップＳ３０２）。
【００５０】
受信した電子メールが音声メールの場合（ステップＳ３０２：ＹＥＳ）、ステップＳ３０４で、音声メール受信通知部１０５が、通常の音声着信と同様に着信音の鳴動を開始して、音声メールを受信したことをユーザに通知する。受信した電子メールが音声メールではない場合（ステップＳ３０２：ＮＯ）、通常の電子メールを受信した際に実行される処理を行う（ステップＳ３０３）。
【００５１】
ユーザがオフフックボタンを押下すると（ステップＳ３０５）、音声メール受信通知部１０５が、着信音の鳴動処理を停止し（ステップＳ３０６）、次に、音声データ再生部１０６が、音声メールに添付された音声データの再生処理を開始する（ステップＳ３０７）。
【００５２】
音声データの再生終了後、ユーザが音声録音ボタンを押下すると（ステップＳ３０８：ＹＥＳ）、音声データ記録部１０２は、ユーザが発話した音声の録音処理を開始し、メモリ１２７に録音する（ステップＳ３０９）。ユーザが音声録音ボタンを押下しないと（ステップＳ３０８：ＮＯ）、そのまま終了する。
なお、音声メール応答部１０７により、ユーザが音声録音ボタンを押下しない場合でも応答の発話があれば音声データ記録部１０２は、ユーザが発話した音声の録音処理を開始し、メモリ１２７に録音する。
【００５３】
次に、ユーザがオンフックボタンを押下すると（ステップＳ３１０）、音声データ記録部１０２は、録音処理を停止し、音声メール作成部１０１は、受信したメールに設定されている複数の各メールアドレスを宛先とする音声メールを作成し（ステップＳ３１１）、作成した音声メールを送信する（ステップＳ３１２）。その際、もちろん、文字列設定部１０１ａは音声メールであることを示す文字列の設定をする。
【００５４】
初めの送信者は、この返信音声メールを受信することにより通話を行うことができる。
また、複数の受信者からの返信音声メールを受信した場合も、図５のＳ３０４の着信通知に対しＳ３０５のオフフックボタン押下の操作にて、順次複数の応答メールを再生して応答の音声メールを聴取することができ、これに対しＳ３０９以降の操作にてさらに応答することにより、複数の通話相手との音声通信を行うことができ、会議形式の同報通話も可能である。
また、初めに送信する電子メールの複数の宛先をｂｃｃとすることにより、アンケート形式での同報通話もできる。
【００５５】
このように、受信した電子メールに添付されている音声データを視聴後、音声メールに対する返信用音声メッセージを録音し、オンフックボタンを押下するだけで、応答用音声メールを自動的に作成できるため、応答用音声メール作成のために煩雑な操作を実行する必要がなく、ユーザの利便性が向上する。
また、電子メールを利用することにより、即座に応答できない場合にも上記の通話の内容は一通り記録されており、話の流れを後から確認することも可能である。
なお、音声メールは添付ファイルに限定させることはなく、音声データを文字情報と共に電子メールの本文中に含めても良いことは明らかである。
【図面の簡単な説明】
【００５６】
【図１】本発明による携帯電話機の実施例を説明するための要部概略構成を示すブロック図である。
【図２】音声メールを作成して、作成した音声メールを送信するまでの処理を説明するためのフロー図である。
【図３】音声メールを作成して、作成した音声メールを送信するまでの別の処理を説明するためのフロー図である。
【図４】本発明による携帯電話機の他の実施例を説明するための要部概略構成を示すブロック図である。
【図５】音声メールを受信して、さらに受信した音声メールに応答する応答用音声メールを作成し、作成した応答用音声メールを送信するまでの処理を説明するためのフロー図である。
【符号の説明】
【００５７】
１００…携帯電話機、１０１…音声メール作成部、１０１ａ…文字列設定部、１０２…音声データ記録部、１０３…トーキ再生部、１０４…音声メール判定部、１０５…音声メール受信通知部、１０６…音声データ再生部、１０７…音声メール応答部、１１１…電子電話帳、１１２…電子メール作成部、１１３…電子メール送受信部、１２１…制御部、１２２…無線部、１２３…表示部、１２４…マイク、１２５…スピーカ、１２６…キーパッド、１２７…メモリ、１２７ａ…音声データ。
【図１】
2007288709.tif 000003
【図２】
2007288709.tif 000004
【図３】
2007288709.tif 000005
【図４】
2007288709.tif 000006
【図５】
2007288709.tif 000007